(57)【要約】  本発明は、血圧データを測定するための測定装置と、測定装置を制御し、及び／又は血圧データを評価し、処理し、及び／又は表示する制御装置とを備える血圧計、特に手首式装置に関する。本発明によれば、血圧計は、制御装置が挿入可能な制御ＩＣカードを読み取るためのＩＣカード読取部を有し、また、上記装置の動作に影響を与える制御装置の少なくとも一つの制御機能は、ＩＣカードの読取装置を介して読み取られたデータによってのみ有効にされ、起動され、及び／又は実行されることを特徴とする。更に、本発明は、血圧計の機能を制御するための制御データ、及び／又は制御装置を有し、血圧計に使用される上記ＩＣカードに関する。
2008538943.tif 000002
【特許請求の範囲】
【請求項１】
血圧データを測定する測定装置（４、５、７、８）と、前記測定装置の制御及び／又は血圧データの評価、処理、及び／又は表示をする制御装置（５）とを備える血圧計、特に手首式装置において、
前記制御装置（６）は、挿入可能な制御ＩＣカード（１２）の読み取りを行うＩＣカード読取部（１５）を備え、
前記ＩＣカード読取部（１５）によりデータが読み取られた場合にのみ、装置の動作に影響を与える制御装置（６）の少なくとも一つの制御機能が有効にされ、起動され、及び／又は実行されること、を特徴とする血圧計。
【請求項２】
前記少なくとも一つの制御機能を実行する制御手段を前記制御装置（６）に備えることを特徴とする、請求項１記載の血圧計。
【請求項３】
前記少なくとも一つの制御機能を実行する制御手段を前記ＩＣカード（１２）に備え、
前記制御装置（６）は、制御機能の処理中に、前記ＩＣカード（１２）に記憶された前記制御手段にアクセスし、及び／又は、前記測定装置（４、５、７、８）は、前記ＩＣカード（１２）の前記制御手段により直接制御されることを特徴とする、請求項１又は２の何れか一項に記載の血圧計。
【請求項４】
前記少なくとも一つの制御機能は、測定が行われる前に、及び／又は基準範囲を逸脱した血圧の測定中に、及び／又は測定中に血圧計の許容できない動作および位置があった場合にアラーム装置を起動する機能を有することを特徴とする、請求項１〜３の何れか一項に記載の血圧計。
【請求項５】
前記少なくとも一つの制御機能は、前記起動機能及び／又は位置測定装置（８）、特にチルトセンサを評価する機能を有することを特徴とする、請求項１〜４の何れか一項に記載の血圧計。
【請求項６】
前記少なくとも一つの制御機能は、前記起動機能、及び／又は動作検出装置及び／又は加速度検出装置を評価する機能、及び／又は不自然な動作を測定する機能を有することを特徴とする、請求項１〜５の何れか一項に記載の血圧計。
【請求項７】
前記少なくとも一つの制御機能は、測定された血圧データを評価する機能とともに、血圧データの評価に基づき追加情報を表示する表示部（９）を制御する機能を有することを特徴とする、請求項１〜６の何れか一項に記載の血圧計。
【請求項８】
前記ＩＣカード読取部（１５）は、読取／書込装置として構成され、
当該装置によってデータが前記制御装置（６）から前記ＩＣカード（１２）に書き込まれることを特徴とする、請求項１〜７の何れか一項に記載の血圧計。
【請求項９】
制御装置（６）は、血圧データ、及び／又はそれから得られたデータを前記ＩＣカード（１２）に記憶する手段を備えることを特徴とする、請求項１〜８の何れか一項に記載の血圧計。
【請求項１０】
ＩＣカード格納装置（１４）は、ＩＳＯ／ＩＥＣ７８１６及び／又はＩＳＯ７８１０に従い標準化されたＩＣカード（１２）を正確に挿入できるよう構成され、
前記制御装置（６）は、ＩＳＯ／ＩＥＣ７８１６及び／又はＩＳＯ７８１０の接点構成を有する標準ＩＣカードの読み取り、及び／又は書き込みをするためのＩＣカード読取及び／又は書込装置（１５）を備えることを特徴とする、請求項１の序文又は請求項２〜９の何れか一項に記載の血圧計。
【請求項１１】
ＩＣカード読取及び／又は書込装置（１５）は、患者及び／又は保険データを記憶するための電子ヘルスカードの公的規格に従うＩＳＯ／ＩＥＣ７８１６及び／又はＩＳＯ７８１０のＩＣカード（１２）のメモリタグに、血圧データが書き込まれるよう構成されることを特徴とする、請求項１〜１０の何れか一項に記載の血圧計。
【請求項１２】
前記血圧計を制御する制御データ及び／又は制御装置を特徴とする、請求項１〜１１の何れか一項に記載の血圧計のＩＣカード。
【請求項１３】
前記ＩＣカードは、ＩＳＯ／ＩＥＣ７８１６及び／又はＩＳＯ７８１０に従って構成されることを特徴とする、請求項１〜１２の何れか一項に記載のＩＣカード。
【請求項１４】
測定が行われる前に、及び／又は基準範囲を逸脱した血圧の測定中に、及び／又は測定中に血圧計の許容できない動作および位置があった場合にアラーム装置を起動する制御手段を備えることを特徴とする、請求項１２又は１３の何れか一項に記載のＩＣカード。
【請求項１５】
制御手段は、位置、動作、及び／又は加速度を測定する装置を制御し、及び／又は評価し、及び／又は、不自然な動作を測定することを特徴とする、請求項１〜１４の何れか一項に記載のＩＣカード。
【請求項１６】
制御手段は、血圧データを評価するとともに、血圧の評価に基づき追加情報を表示する血圧計の表示部を制御することを特徴とする、請求項１〜１５の何れか一項に記載のＩＣカード。
【請求項１７】
血圧データを記憶する記憶領域、特にＲＡＭを備えることを特徴とする、請求項１〜１６の何れか一項に記載のＩＣカード。
【請求項１８】
請求項１〜１７の何れか一項に記載のＩＣカードを備える血圧計。
【発明の詳細な説明】
【技術分野】
【０００１】
本発明は、血圧データを測定する測定装置と、測定装置を制御し、及び／又は、血圧データを評価し、処理し、及び／又は表示する制御装置とを備える血圧計、特に手首式装置に関する。また、本発明は、このような血圧計に使用されるＩＣカードに関する。
【背景技術】
【０００２】
血圧計により測定された血圧データは、通常揮発性の記憶装置に随時記憶される。複数人に使用される場合、データの一部が記憶装置へ移行される。血圧データと同時に日付および時間も記憶されるので、時間は日々の結果に関連付けされてもよい。しかし、従来の血圧計では、血圧計からこのデータを読み出し、意味のある表現として明確に視覚化するのは非常に困難である。
これに関連して、間違いやすい手作業に代えて血圧計に接続部を設け、パーソナルコンピュータにデータを転送できるようにすることは既に提案されている。ただし、一方で、読み取られた形式で血圧データを更に処理できるようにするためには、適切なコンピュータプログラムが必要となるため、可能性は限られている。他方で、血圧計に設けられる接続部を介してデータを読み取ることができるようにするためには、適切なハードウェアが必要となる。
【０００３】
膨大な量の血圧データを記憶できるようにするために、集積回路という形態での交換可能な記憶カードを装置に設けるという提案が、米国特許番号６，５０６，１６２  Ｂ１に開示されている。このシステムでは、交換可能な記憶カードに膨大な量のデータを記憶することができる。さらに、記憶された血圧データの医師による評価のため、記憶カードが血圧計から取り外され、病院または診療所に持ち込まれ、そこの血圧計に挿入されると、記憶されたデータをそこの血圧計を用いて見ることができる。
【発明の開示】
【発明が解決しようとする課題】
【０００４】
しかし、これは、病院側に互換性を持つ血圧計があることを前提とするが、実情はしばしばそうではない。なぜなら、家庭用装置は病院に存在するそれらとは通常異なって構成されるからである。
さらに、血圧計が交換可能な記憶カードを備えていたとしても、従来の血圧計の機能を各々のアプリケーションの事例に適応するのは、しばしば困難である。
確かに、必要とされうるすべての機能を、一つの血圧計に備えることは、基本的には可能である。しかし、それは一般ユーザのための血圧計に負担をかけ過ぎるとともに、特に高齢の患者にとって血圧計の操作性を不必要に困難にする。さらに、必要以上の機能が血圧計に備えられた場合、装置が非常に高価になることは明らかである。
【０００５】
そこで、本発明の目的は、従来技術の課題を解消し、従来技術を有利に向上することのできる改良した血圧計およびＩＣカードを提供することにある。特に、血圧計の適用範囲の多様性が獲得され、及び／又はデータ処理の簡易化が達成される。
【課題を解決するための手段】
【０００６】
本発明によれば、この目的は、請求項１および請求項１０の血圧計、および請求項１２のＩＣカードにより達成することができる。従属する請求項の構成要素は、本発明の好適な実施の形態に示す。
【０００７】
本発明によれば、ＩＣカードを挿入することによって、血圧計の制御機能を拡張、又は変更することが提案される。ここで、ＩＣカードは、従来技術のように記憶容量を拡大するだけではなく、血圧計自体の制御を行うために用いられている。
本発明によれば、制御装置は、血圧計に挿入される制御ＩＣカードの読み取りを行うＩＣカード読取部を備える。制御装置は、ＩＣカード読取部で読み取られたデータによってのみ、装置の動作に影響を与える少なくとも一つの制御装置の制御機能が有効され、始動され、及び／又は実行されるように構成されている。特に、適切なＩＣカードを挿入することにより、血圧計の性能を高めることができ、すなわち、それに従い装置の性能の範囲も拡張される。これにより、基本装置を比較的簡素に保つことができる。適切なカード機能を購入することで、追加的な機能を有する高性能機器へと高めることができる。
【０００８】
本発明の更なる発展としては、追加的な制御機能を実行する適切な制御手段は、装置に存在する制御装置に予め備えられていてもよい。使用されているＩＣカードは、対応する制御データ、特に装置の制御装置に存在する制御機能を起動し、または、有効にするコードを単に読み取る。
【０００９】
あるいは／さらに、追加的な制御機能を実行するための制御手段がＩＣカードに備えられ、装置の制御装置は、制御手段が各々の制御機能を実行する場合に、ＩＣカードに記憶される制御手段にアクセスするようにしてもよい。すなわち、ＩＣカードは、ここで制御装置の一部となっている。
【００１０】
つまり、これにより、全く異なる制御機能を血圧計に実装し、または、後から追加することができる。血圧計に係る一の実施の形態によれば、このような制御ＩＣカードにより血圧計のアラーム機能を実現してもよい。例えば、血圧計に配置されるアラーム装置は、医師によってプログラムされた時間に起動し、次の測定の時間が来たことを音または振動で患者に伝えるようにしてもよい。あるいは／さらに、制御装置が許容範囲を超えた値を検出した場合にアラーム装置を起動するアラーム制御手段を、ＩＣカードによって備えてもよい。
【００１１】
あるいは／さらに、例えばチルトセンサという形の位置測定装置の開始及び／又は評価は、制御ＩＣカードが挿入されることにより実装されてもよい。このような位置測定装置は、血圧計が心臓に対し正しい位置にあることを検出できるので、制御装置は、血圧計が基準位置を離れた場合にアラームを始動し、及び／又は基準位置が検出されている場合のみ測定された値を記憶することができる。
【００１２】
あるいは／さらに、制御ＩＣカードが挿入されることにより、不自然な動作の測定も有効にされ、起動され、及び／又は追加で備えられる。不適当な動作または加速度に起因する血圧データの不自然な結果は、動作及び／又は加速度を検出する装置によって測定され、血圧データ評価をする時に考慮される。
【００１３】
あるいは／さらに、適切な制御ＩＣカードを挿入することにより、血圧計の表示部の制御に介在することができる。例えば、確定した血圧データの拡張された評価が表示される拡張された表示部が備えられる。例えば、複数回の測定における血圧データに関する追加情報を表示部に表示できるが、ＩＣカードを有しない基本機器では表示できない。
【００１４】
あるいは／さらに、ＩＣカードによって、血圧計の記憶装置を拡張することができる。この場合、ＩＣカード読取装置は読取／書込装置として構成され、その結果、測定装置により測定された血圧データ、及び／又は装置の制御装置により得られたデータは、このために備えられたＩＣカードの記憶領域に書き込まれる。
【００１５】
より良いデータ管理、特にほとんどの診療所で行われるデータ評価の実現のため、本発明の更なる態様によると、本血圧計は、血圧計のＩＣカード格納装置がＩＳＯ／ＩＥＣ７８１６（特にＩＳＯ／ＩＥＣ７８１６−２）及び／又はＩＳＯ７８１０に従い標準化されたＩＣカードを正しく挿入できるよう構成され、また、血圧計の制御装置がＩＳＯ／ＩＥＣ７８１６（特にＩＳＯ／ＩＥＣ７８１６−２）及び／又はＩＳＯ７８１０の接点構成を持つ標準カードを読み取り、及び／又は書き込みをするＩＣカード読取及び／又は書込装置を備えることを特徴とする。このように構成された血圧計は、他の目的のための一般的なＩＣカードも使用することができる。特に、診療所に通常ある電子ヘルスカードを読み取るためのカード読取機によって、血圧計のＩＣカードに書き込まれたデータを読み取ることができる。
【００１６】
本発明の更なる発展としては、血圧計のＩＣカード読取及び／又は書込装置は、血圧データが前述した規格に基づいてＩＣカードのメモリタグに書き込まれるように構成される。そして、メモリタグは、電子ヘルスカードの公的規格に対応し、いわゆる任意加入の範囲に属する患者及び／又は保険データを記憶するために設けられている。このような血圧計のＩＣカード読取及び／又は書込装置の構成により、診療所でヘルスカードを読み取るための読取機の意図しなかった用途が、更に簡素化することとなった。特に、それは、特別なソフトフェア無しに実現可能である。血圧データは、ＩＣカードの記憶領域に書き込まれ、それはヘルスカードのための読取機によっていつでも読み出すことができる。例えば、平均収縮期圧力は、ＩＣカードの記憶領域に書き込まれ、それはヘルスカードのための読取機によっていつでも読み出すことができる。例えば、平均収縮期圧力は、ヘルスカードの公的規格に応じて、健康保険番号のためのＩＣカードの記憶領域に書き込むことができる。
保険会社の名前に代えて、午前６時から９時の間に測定された朝の数値の傾向を、対応するメモリタグに書き込むことができる。表示上、略記は対応する数値に先行し、適切な単位がそれに続くので、ヘルスカード読取機の不適切な読取用テンプレートにもかかわらず、情報表示は自明になり、また、理解可能となる。ヘルスカードの読取用テンプレートとは、いわば、診療所にある血圧計のデータを高速出力するために誤用、使用されるものである。これらの方法により、ほとんどの診療所で、そこにある血圧を測定するためのハードウェアに依存することなく、血圧計のデータ一覧を読み取ることができる。
【００１７】
血圧計のＩＣカードをヘルスカード読取機に読み込むことを保証するために、血圧計のＩＣカードがそれを健康保険カードとして識別するコードを好適に有するようにしてもよい。これらの方法により、カードが未知のデータ記憶媒体であると識別されて、診療所にある健康保険カード読取機によってカードの読み取りが拒否されることが防止される。
【００１８】
これらの、また更なる特有な構成は、請求項と同様に、後述する説明および図面によっても明らかである。個々の特有な構成は、個別に、または本発明の形態のサブコンビネーションという形のグループによって、また、他の領域によって具現化してもよい。
【発明を実施するための最良の形態】
【００１９】
以下、本発明の一例を図面に示し、詳細に説明する。
図１は、本発明の好適な形態に係る、挿入可能なＩＣカードの機能および記憶容量によって拡張される手首式血圧計の概略斜視図を示す。
【００２０】
図１に示す血圧計はスリーブ１を備え、スリーブ１は患者の手首付近に取り付けられ、例えば面ファスナー締め付け機構２により固定される。スリーブ１は、既知の方法により流動体で満たされ、逆にまた空にされ、その結果、希望された方法で圧力を上げ、また下げることができる。
このため、ポンプ４は、スリーブ１の上面に固定される機器筐体３に配置される。ポンプ４は電力源５より供給され、電力源５は、例えば電池または蓄電池の形態として、機器筐体３の適切な電池または蓄電池室に配置される。ポンプ４は、同じく機器筐体３に配置される制御装置６により制御されるので、制御装置により指示される工程に従いスリーブ１を膨らませ、そしてまた萎ませることができる。
【００２１】
さらに、血圧計は圧力センサ７を備え、これにより、測定の過程で設定されるスリーブの圧力が検出されるとともに適切な圧力信号が出力され、そして、制御装置６で評価される。さらに、位置、動作、及び／又は加速度センサ８は、機器筐体３に配置される。制御装置６は、センサ８からの信号により、血圧計が心臓部の基準位置に十分に近く置かれたか否か、および血圧計が十分に安定して配置されているか否かを認識することができる。
【００２２】
図１に示すように、測定された血圧を表示し、及び／又は信号や命令をユーザに示す表示部９、および、制御命令を入力する複数の制御ボタン１０は機器筐体３に配置され、それぞれ制御装置６へ接続されている。
【００２３】
さらに、機器筐体３は、ＩＣカード１２が挿入される接続部１１を備え、これにより、血圧計は制御機能を拡張するととともに、血圧データを記憶するための追加的な記憶領域が確保される。
図示された実施の形態では、ＩＣカード１２のための挿入口１３が、筐体３に設けられている。しかし、図示とは異なる本実施の形態によれば、格納扉または蓋を更に設けるようにしてもよく、その平面側にＩＣカード１２が挿入されるようにしてもよい。どのような場合でも、ＩＣカード格納装置１４は、ＩＳＯ／ＩＥＣ７８１６またはＩＳＯ７８１０の標準ＩＣカードが正しく挿入されるよう構成されている。
一方、挿入口１３の内部には、制御装置６に接続されるＩＣカード書込および読取装置１５が配置されるので、血圧計からＩＣカード１２へデータを送信し、逆にＩＣカード１２に記憶された情報を血圧計に読み出すことができる。
【００２４】
また、筐体のＩＣカードの挿入口を、ここに図示されているのとは別の、特に測定のための筐体の胸部が配置される図示されている側面ではない、３つの端面のいずれかに代替的に配置するように構成してもよい。
【００２５】
一方、ＩＣカード１２は記憶装置を構成し、血圧計で取得される血圧データを記憶する。さらに、ＩＣカード１２は、血圧計の制御装置の一部も構成している。特に、制御手段はＩＣカード１２に記憶され、ＩＣカードが挿入された場合に読み取られ、そして、制御装置６の制御機能を有効にし、及び／又は実行し、及び／又は実現する。あるいは／さらに、機器筐体３の制御装置６と相互作用して、これらを追加的な制御機能に適応させる制御アルゴリズムもＩＣカード１２に記憶されるようにしてもよい。つまり、制御機能もＩＣカード１２で処理されてもよい。
【００２６】
代替品として入手可能なＩＣカード１２は、患者名および日付をカードに記録することができる、随意に空き容量を有する書き込み領域を好適に備えてもよい。ＩＣカード１２の記憶領域によって、数ヶ月分の血圧データを保管することができ、血圧計の記憶容量をかなり拡大することができる。
【００２７】
血圧計のデータ管理は、ＩＣカード１２によって、大幅に改善することができる。ＩＣカードが挿入された場合、以前のデータ一覧は、追加されたプログラムおよび現在の記憶データによって確認され、その後、血圧計の固定記憶領域に保存されているデータを削除することができる。ＩＣカード１２の記憶容量が満杯になり次第、しかるべきメッセージが血圧計に表示される。
【００２８】
診療所でＩＣカード１２に記憶された血圧データを簡単に表示するために、血圧計の読取／書込装置１５は、診療所にあるヘルスカード読取機で読み取られる患者のデータのための記憶領域に対して該当データが書き込まれるよう構成されている。この方法により、ヘルスカード読取機に接続される診療所のコンピュータの読取用テンプレートは、意図しない方法で使用することができる。さらに、ＩＣカード１２が、健康保険カード読取機内のＩＣカードを健康保険カードと認識するＲＯＭコードを好適に備えてもよい。
【００２９】
また、ＩＣカードによって、血圧計の機器の特性を好適にプログラムできるようにしてもよい。例えば、ＲＡＭを随意に備えることができる特別なＩＣカード１２により、制御ボタン１０による煩わしい入力を省略できるよう、制御装置６の制御機能を再コード化することができる。さらに、アラーム機能、血圧データの拡張された評価および表示、位置の検出および計算、血圧測定中の不自然な結果の監視システム、及び／又は他のデータの評価システムも、前述した方法で追加することができる。
【００３０】
また、血圧計の制御装置６は、ＩＣカード１２が挿入されていない場合に血圧計を停止し、適切なＩＣカード１２が装置に挿入された場合にのみ血圧計を有効にするように好適に構成してもよい。これにより、例えば子供による装置の誤用を防止することができる。
【図１】
2008538943.tif 000003
【国際調査報告】
2008538943.tif 000004
2008538943.tif 000005
2008538943.tif 000006
2008538943.tif 000007
2008538943.tif 000008
2008538943.tif 000009